(57)【要約】【課題】呼び出しがあった場合の対応に関するサービス設定内容を自動的に変更することのできる、携帯電話端末、及び携帯電話端末の動作方法を提供する。【解決手段】携帯電話端末は、複数の基地局の何れかと無線通信可能に接続されることにより、相手先装置との間で通信を行う、無線部と、前記無線部がどの基地局に接続されているかを識別し、接続先の基地局を示す識別情報を生成する、接続先識別部と、前記識別情報に基づいて、前記接続先の基地局が変更されたか否かを判定する判定部と、前記接続先の基地局が変更された場合に、相手先装置から呼び出しがあった場合にどのように対応するかを示すサービス設定内容を、変更後の前記接続先の基地局に応じた内容に変更する、設定変更部とを具備する。【選択図】図１
2014045518.tif 000002
【特許請求の範囲】
【請求項１】
複数の基地局の何れかと無線通信可能に接続されることにより、相手先装置との間で通信を行う、無線部と、
前記無線部がどの基地局に接続されているかを識別し、接続先の基地局を示す識別情報を生成する、接続先識別部と、
前記識別情報に基づいて、前記接続先の基地局が変更されたか否かを判定する判定部と、
前記接続先の基地局が変更された場合に、相手先装置から呼び出しがあった場合にどのように対応するかを示すサービス設定内容を、変更後の前記接続先の基地局に応じた内容に変更する、設定変更部と、
を具備する
携帯電話端末。
【請求項２】
請求項１に記載された携帯電話端末であって、
前記設定変更部は、相手先装置と前記無線部との間の通信を制御する事業者装置にアクセスし、前記事業者装置に対して設定変更指示を送信することにより、前記サービス設定内容を変更する
携帯電話端末。
【請求項３】
請求項２に記載された携帯電話端末であって、
前記事業者装置が、相手先装置から前記無線部に対して呼び出しがあった場合に、相手先装置からの呼び出しを他の電話装置に転送するか否かを制御するように構成されており、
前記設定変更部は、前記事業者装置に対して、前記設定変更指示として、転送するか否かを指示する情報を送信する
携帯電話端末。
【請求項４】
請求項１乃至３のいずれかに記載された携帯電話端末であって、
前記設定変更部は、固定通信網に接続された固定電話装置にアクセスし、前記固定電話装置に対して設定変更指示を送信することにより、前記サービス設定内容を変更する
携帯電話端末。
【請求項５】
請求項４に記載された携帯電話端末であって、
前記固定電話装置は、留守番電話機能を有しており、
前記設定変更部は、前記固定電話装置に対して、前記設定変更指示として、留守番電話機能をオンにするかオフにするかを指示する情報を、送信する
携帯電話端末。
【請求項６】
請求項１乃至５のいずれかに記載された携帯電話端末であって、
前記設定変更部は、前記変更後の接続先の基地局がフェムトセルエリアを形成するフェムトセル用基地局であった場合に、サービス設定内容を変更する
携帯電話端末。
【請求項７】
請求項１乃至６のいずれかに記載された携帯電話端末であって、
前記設定変更部は、前記変更後の接続先の基地局が無線ＬＡＮを形成する無線ＬＡＮ用基地局であった場合に、サービス設定内容を変更する
携帯電話端末。
【請求項８】
複数の基地局の何れかと無線通信可能に接続されることにより、相手先装置との間で通信を行うステップと、
前記無線部がどの基地局に接続されているかを識別し、接続先の基地局を示す識別情報を生成するステップと、
前記識別情報に基づいて、前記接続先の基地局が変更されたか否かを判定するステップと、
前記接続先の基地局が変更された場合に、相手先装置から呼び出しがあった場合にどのように対応するかを示すサービス設定内容を、変更後の前記接続先の基地局に応じた内容に変更するステップと、
を具備する
携帯電話端末の動作方法。
【請求項９】
請求項８に記載された携帯電話端末の動作方法をコンピュータにより実現するための、
携帯電話端末の動作プログラム。
【請求項１０】
請求項４に記載された携帯電話端末と、
前記設定変更部から前記設定変更指示を受信し、前記設定変更指示に基づいて設定内容を変更する、固定電話装置と、
を具備する
通信システム。
【発明の詳細な説明】
【技術分野】
【０００１】
本発明は、携帯電話端末、及び携帯電話端末の動作方法に関する。
【背景技術】
【０００２】
電話装置に関するサービスが多様化してきている。そのようなサービスとして、相手先装置から呼び出しがあった場合の対応を変更することのできるサービスがある。例えば、留守番電話機能サービスを備える電話装置では、ユーザが不在である場合に、相手先装置の話者が電話装置にメッセージを録音することができる。また、転送機能サービスが適用される電話装置では、呼び出しがあった場合に、別の電話装置にその呼び出しを転送することが可能である。
【０００３】
関連技術が、特許文献１（特開２００７−３６３９１号公報）に記載されている。この公報には、アドレス帳に登録された電話番号から着信があった時にアドレス帳の設定項目を参照し、着信の通知が禁止されているか否かを判定するステップと、着信通知禁止設定が設定されていた場合、着信の通知を行なわないステップと、着信通知禁止設定が設定されていない場合、着信の通知を行うステップとを含む着信制御方法が記載されている。
【０００４】
他の関連技術が、特許文献２（特開２００５−１１７５５１号公報）に記載されている。この公報には、基地局との間で無線通信を行う移動局であって、基地局から報知される報知情報を受信する手段と、受信した報知情報から当該基地局のサービス状態を示すサービス状態情報を抽出する手段と、抽出したサービス状態通知報知ビットに基づいて現在利用中の第１の通信手段を提供可能な第２の通信手段に通信手段を自動的に切り替えるための制御を行なう手段とを備えることを特徴とする移動通信端末が開示されている。
【先行技術文献】
【特許文献】
【０００５】
【特許文献１】特開２００７−３６３９１号公報
【特許文献２】特開２００５−１１７５５１号公報
【発明の概要】
【発明が解決しようとする課題】
【０００６】
呼び出しがあった場合には、多くの場合、ユーザの所在場所により、呼び出しに対する対応が決められることが好ましい。例えば、留守番電話機能サービスは、ユーザが外出中にはオンに設定され、ユーザが帰宅した場合にはオフに設定されることが望ましい。しかしながら、ユーザは、所在場所に応じて、サービスの設定内容を変更しなければならず、手間がかかっていた。
【０００７】
尚、特許文献１には、ユーザの所在場所に応じてサービスの設定内容を変更する点については、記載されていない。また、特許文献２には、呼び出しに対する対応に関してのサービスについては、記載がない。
【課題を解決するための手段】
【０００８】
本発明に係る携帯電話端末は、複数の基地局の何れかと無線通信可能に接続されることにより、相手先装置との間で通信を行う、無線部と、前記無線部がどの基地局に接続されているかを識別し、接続先の基地局を示す識別情報を生成する、接続先識別部と、前記識別情報に基づいて、前記接続先の基地局が変更されたか否かを判定する判定部と、前記接続先の基地局が変更された場合に、相手先装置から呼び出しがあった場合にどのように対応するかを示すサービス設定内容を、変更後の前記接続先の基地局に応じた内容に変更する、設定変更部とを具備する。
【０００９】
この発明によれば、携帯電話端末が、接続先の基地局を識別することにより、携帯電話端末を所持するユーザがどこに所在しているかを識別することができる。これを利用し、設定変更部が、接続先の基地局が変更された場合に、サービス設定内容を変更後の接続先の基地局に応じた内容に変更する。携帯電話端末が、ユーザの所在地に応じて自動的にサービス設定内容を変更するため、ユーザがサービス設定内容を変更する手間を省略することができ、ユーザにとっての利便性を向上させることができる。
【００１０】
本発明に係る携帯電話端末の動作方法は、複数の基地局の何れかと無線通信可能に接続されることにより、相手先装置との間で通信を行うステップと、前記無線部がどの基地局に接続されているかを識別し、接続先の基地局を示す識別情報を生成するステップと、前記識別情報に基づいて、前記接続先の基地局が変更されたか否かを判定するステップと、前記接続先の基地局が変更された場合に、相手先装置から呼び出しがあった場合にどのように対応するかを示すサービス設定内容を、変更後の前記接続先の基地局に応じた内容に変更するステップとを具備する。
【００１１】
本発明に係る携帯電話端末の動作プログラムは、上述の携帯電話端末の動作方法をコンピュータにより実現するための、携帯電話端末の動作プログラムである。
【００１２】
本発明に係る通信システムは、上述の携帯電話端末と、前記設定変更部から前記設定変更指示を受信し、前記設定変更指示に基づいて設定内容を変更する、固定電話装置とを具備する。
【発明の効果】
【００１３】
本発明によれば、呼び出しがあった場合の対応に関するサービス設定内容を自動的に変更することのできる、携帯電話端末、及び携帯電話端末の動作方法が提供される。
【図面の簡単な説明】
【００１４】
【図１】第１の実施形態に係る携帯電話端末が使用されるネットワークシステムを示す概略図である。
【図２】携帯電話端末の構成を示すブロック図である。
【図３】設定記憶部に格納された情報を示す概念図である。
【図４】携帯電話端末の動作方法を示すフローチャートである。
【図５】第２の実施形態に係るネットワークシステムを示す概略図である。
【図６】通信システムを示す概略図である。
【図７】リモート手順記憶部に格納された情報を示す概念図である。
【図８】携帯電話端末の動作方法を示すフローチャートである。
【発明を実施するための形態】
【００１５】
以下に、図面を参照しつつ、本発明の実施形態について説明する。
【００１６】
（第１の実施形態）
まず、第１の実施形態について説明する。図１は、本実施形態に係る携帯電話端末１が使用されるネットワークシステムを示す概略図である。図１に示されるように、このネットワークシステムは、事業者装置７、及び複数の基地局２（２−１、２−２）を備えている。
【００１７】
複数の基地局２は、携帯電話端末１と相手先装置９との間の通信を仲介するために設けられている。複数の基地局２は、フェムトセル用基地局２−１、及び無線基地局２−２を含んでいる。
【００１８】
無線基地局２−２は、主に屋外に設置される。無線基地局２−２は、セル５を形成する。携帯電話端末１がセル５内に在圏する場合、携帯電話端末１と無線基地局２−２とが通信可能である。尚、図１では、一つの無線基地局２−２しか描かれていないが、実際には多数の無線基地局２−２が配置されている。無線基地局２−２は、移動通信網１０を介して、事業者装置７とアクセス可能に接続されている。また、無線基地局２−２は、セル５内に、無線基地局２−２を特定する情報を送信するように構成されている。
【００１９】
一方、フェムトセル用基地局２−１は、主に、ユーザの住宅等の内部に配置される。フェムトセル用基地局２−１は、フェムトセルエリア４を形成し、フェムトセルエリア４内に在圏する携帯電話端末１と通信可能である。フェムトセルエリア４は、ユーザの住宅内などの限られた範囲を圏内に収めていればよく、セル５よりも狭い範囲に形成される。フェムトセル用基地局２−２は、インターネット６を介して、事業者装置７とアクセス可能に接続されている。また、フェムトセル用基地局２−１は、フェムトセルエリア４内に、フェムトセル用基地局２−１を特定する情報を送信するように構成されている。
【００２０】
事業者装置７は、通信事業者によって管理される装置であり、相手先装置９と携帯電話端末１との間の通信を制御する装置である。事業者装置７は、相手先装置９とネットワーク（例えば固定通信網２９）を介して接続されている。事業者装置７は、サービス機能として、相手先装置９から携帯電話端末１に呼び出しがあったときにどのように対応するかを制御する機能を有している。本実施形態では、このようなサービス機能として、事業者装置７が、転送機能を有しているものとする。すなわち、事業者装置７は、携帯電話端末１に対する呼び出しを、他の転送先電話装置３１に転送する機能を有しているものとする。
【００２１】
次いで、本実施形態に係る携帯電話端末１について説明する。携帯電話端末１は、ＦＭＣ（Ｆｉｘｅｄ  Ｍｏｂｉｌｅ  Ｃｏｎｖｅｒｇｅｎｃｅ）の機能を有しているものとする。図２は、携帯電話端末１の構成を示すブロック図である。
【００２２】
図２に示されるように、携帯電話端末１は、データ処理装置１１、入力装置１３、出力装置１４、記憶装置１５、及び無線装置１２を備えている。
【００２３】
入力装置１３は、キーボード１９及びマイク２０を備えている。ユーザは、キーボード１９を操作することにより、所望する情報を携帯電話端末１に入力することができる。マイク２０は、相手先装置９との通話時に使用される。
【００２４】
出力装置１４は、表示部２１及びレシーバー２２（音声出力装置）を備えている。表示部２１はディスプレイなどに例示され、携帯電話端末１から所定の情報をユーザに対して通知するために設けられている。レシーバー２２は、通話時などに使用される。
【００２５】
無線装置１２は、無線部２３及びアンテナ２３を備えている。無線部２３は、アンテナ２３を介して各基地局２と通信可能に接続される。
【００２６】
記憶装置１５は、メモリ２５を備えている。メモリ２５には、設定記憶部２６が設けられている。設定記憶部２６には、予め設定された設定情報が格納されている。
【００２７】
図３は、設定記憶部２６に格納された情報を示す概念図である。図３に示されるように、設定記憶部２６には、設定情報として、変更後の接続先基地局と、事業者装置７に設定するサービス設定内容との対応関係を示す情報が格納されている。設定内容としては、転送をＯＮにするかＯＦＦにするかを示す情報が格納されている。
【００２８】
再び図２を参照し、データ処理装置１１について説明する。データ処理装置１１は、接続先識別部１６、判定部１７、及び設定変更部１８を備えている。これらは、ＲＯＭ（Ｒｅａｄ  Ｏｎｌｙ  Ｍｅｍｏｒｙ）等に格納された携帯電話端末の動作プログラムが、ＣＰＵにより実行されることで、実現される。
【００２９】
続いて、本実施形態に係る携帯電話端末１の動作方法について説明する。図４は、携帯電話端末１の動作方法を示すフローチャートである。
【００３０】
ステップＳ１０１；接続先が変更されたか？
接続先識別部１６は、無線装置１２を介して、接続先の基地局２からその基地局２を特定する情報を受信している。そして、接続先の基地局２を示す識別情報を生成し、判定部１７に通知する。判定部１７は、識別情報に基づいて、接続先の基地局２が変更されたか否かを判定する。
【００３１】
ステップＳ１０２；フェムトセルエリア内への移動？
接続先の基地局２が変更された場合、判定部１７は、識別情報に基づいて、変更後の接続先基地局がフェムトセル用基地局２−１であるか否かを判定する。すなわち、判定部１７は、携帯電話端末１が、セル５の圏内からフェムトセルエリア４内に移動したのか否かを判定する。たとえば、携帯電話端末１を所持するユーザが帰宅し、室内に形成されるフェムトセルエリア４内に入った場合には、接続先基地局が無線基地局２−２からフェムトセル用基地局２−１に変更されることになる。
【００３２】
ステップＳ１０３；フェムトセルエリア外への移動？
ステップＳ１０２において、フェムトセルエリア４内への移動ではない場合、判定部１７は、識別情報に基づいて、変更後の接続先基地局が無線基地局２−２であるか否かを判定する。すなわち、判定部１７は、携帯電話端末１がフェムトセルエリア４内から外に移動したのか否かを判定する。変更後の接続先基地局が無線基地局２−２であった場合、判定部１７は、その判定結果を設定変更部１８に通知する。例えば、ユーザが携帯電話端末１を所持して室内から室外に移動した場合には、接続先の基地局がフェムトセル用基地局２−１から無線基地局２−２に変更されることになる。
【００３３】
ステップＳ１１０；設定内容の読み込み
ステップＳ１０３において、変更後の接続先基地局が無線基地局２−２であった場合（携帯電話端末１がフェムトセルエリア４外へ移動した場合）、設定変更部１８は、設定記憶部２６を参照する。そして、変更後の接続先基地局に対応する設定内容を取得する。本実施形態では、図３に示したように、無線基地局に対して、「転送ＯＦＦ」が設定内容として対応付けられている。従って、設定変更部１８は、設定内容として、「転送ＯＦＦ」を取得する。
【００３４】
ステップＳ１１１；通信開始
設定内容を取得した設定変更部１８は、無線装置１２を介して、事業者装置７にアクセスする。具体的には、事業者装置７に電話をかける。
【００３５】
ステップＳ１１２；転送電話機能のＯＦＦ
設定変更部１８は、事業者装置７にアクセスしたことを確認すると、「転送ＯＦＦ」を示す設定変更指示を生成し、設定変更指示を事業者装置７に送信する。これにより、事業者装置７では、サービス設定内容として、「転送ＯＦＦ」が設定される。「転送ＯＦＦ」が設定されている場合、相手先装置９から携帯電話端末１に呼び出しがあったときに、その呼び出しは携帯電話端末１にそのまま伝えられ、転送先電話装置３１に転送されることはない。
【００３６】
ステップＳ１２０；設定内容（圏内）読み込み
一方、ステップＳ１０２において、変更後の接続先基地局がフェムトセル用基地局２−１であった場合（携帯電話端末１がフェムトセルエリア４内へ移動した場合）には、判定部１７が、その旨を判定結果として設定変更部１８に通知する。すると、設定変更部１８が、設定記憶部２６を参照し、フェムトセルに対応する設定内容を取得する。本実施形態では、図３に示したように、フェムトセルに対して、「転送ＯＮ」が設定内容として対応付けられている。従って、設定変更部１８は、設定内容として、「転送ＯＮ」を取得する。
【００３７】
ステップＳ１２１；通信開始
その後、設定変更部１８は、ステップＳ１１１と同様に、事業者装置７にアクセスする。
【００３８】
ステップＳ１２２；転送電話機能のＯＮ
そして、設定変更部１８は、事業者装置７にアクセスしたことを確認すると、「転送ＯＮ」を示す設定変更指示を生成し、設定変更指示を事業者装置７に送信する。これにより、事業者装置７には、サービス設定内容として、「転送ＯＮ」が設定される。「転送ＯＮ」が設定されている場合、事業者装置７は、相手先装置９から携帯電話端末１に対して呼び出しがあったときに、その呼び出しを転送先電話装置３１に転送する。
【００３９】
以上説明したように、本実施形態によれば、携帯電話端末１が、変更後の接続先基地局に応じて、事業者装置７に設定されるサービス設定内容を自動的に変更する。すなわち、携帯電話端末１を所持するユーザの所在地に応じて、サービス設定内容が最適な内容に切り替えられる。従って、ユーザは、移動する度に、適切なサービス設定内容に設定しなおす必要がない。従って、ユーザにとっての利便性を向上させることが可能である。
【００４０】
尚、本実施形態では、事業者装置７に設定されるサービス設定内容として、転送機能を例示した。但し、サービス設定内容としては、転送機能に限定されるものではなく、相手先装置９から携帯電話端末１に呼び出しがあった場合の対応に関する機能であれば、他の機能（例えば、留守番電話機能など）が用いられてもよい。
【００４１】
また、本実施形態では、複数の基地局２として、フェムトセル用基地局２−１及び無線基地局２−２を例示した。但し、各基地局としてはこれに限定されず、例えば、無線ＬＡＮ用の基地局が複数の基地局２の中に含まれていてもよく、変更後の基地局が無線ＬＡＮ用の基地局であった場合に、設定変更部が、サービス設定内容を変更してもよい。
【００４２】
（第２の実施形態）
続いて、第２の実施形態について説明する。図５は、本実施形態に係るネットワークシステムを示す概略図である。本実施形態では、第１の実施形態に対して、ユーザの宅内に設置された固定電話装置２８が追加されている。そして、携帯電話装置１と固定電話装置２８により、通信システム３０が形成されている。固定電話装置２８は、呼び出しがあった場合の対応に関するサービスとして、留守番電話サービス機能を有しているものとする。尚、以下の説明において、特に断りのない部分については、第１の実施形態と同様であるものとする。
【００４３】
図６は、通信システム３０を示す概略図である。図６に示されるように、固定電話装置２８は、固定通信網２９を介して、事業者装置とアクセス可能に接続されている。固定電話装置２８には、サービスの設定内容が設定されている。具体的には、留守番電話機能をＯＮにするかＯＦＦにするかを示す内容が、サービス設定内容として設定されている。また、このサービス設定内容は、固定電話装置２８に電話をかけて、所定のコード（「♯３３３３」「♯４４４４」など）を送出することにより、変更可能であるものとする。
【００４４】
また、携帯電話端末１では、記憶装置１５のメモリ２５に、リモート手順記憶部２７が設けられている。図７は、リモート手順記憶部２７に格納された情報を示す概念図である。図７に示されるように、リモート手順記憶部２７には、設定情報として、変更後の接続先基地局と、設定内容及びリモート設定変更手順との対応関係が記述されている。尚、リモート設定変更手順とは、固定電話装置２８に設定されるサービス設定内容を変更するための手順を示す情報である。図７に示される例では、無線基地局に対して、「留守番電話ＯＮ」が設定内容として対応付けられており、更に「固定電話に接続し、♯４４４４を送出する」がリモート設定変更手順として対応付けられている。また、フェムトセル用基地局に対して、「留守番電話ＯＦＦ」が設定内容として対応付けられており、更に「固定電話に接続し、♯３３３３を送出する」がリモート設定変更手順として対応付けられている。
【００４５】
続いて、本実施形態に係る携帯電話端末１の動作方法について説明する。図８は、本実施形態に係る携帯電話端末１の動作方法を示すフローチャートである。
【００４６】
ステップＳ１０１〜１０３
まず、第１の実施形態と同様に、接続先識別部１６によって生成された識別情報に基づいて、判定部１７が、接続先基地局が変更されたか否かを判定する（ステップＳ１０１）。判定部１７は、携帯電話端末１がフェムトセルエリア４内へ移動したのか否かを判定する（ステップＳ１０２）。フェムトセルエリア４内への移動ではなかった場合、判定部１７は、携帯電話端末１がフェムトセルエリア４の圏内から圏外に移動したのか否かを判定する（ステップＳ１０３）。
【００４７】
ステップＳ２１０；リモート設定変更手順（圏外）の読み込み
ステップＳ１０３において、フェムトセルエリア４の圏内から圏外への移動であった場合には、設定変更部１８が、リモート手順記憶部２７にアクセスする。そして、変更後の接続先基地局に対応する、設定内容及びリモート設定変更手順を取得する。本ステップにおいて、変更後の接続先基地局が無線基地局２−２であれば、設定内容として留守番電話ＯＮを取得し、リモート設定変更手順として、「固定電話に接続して、♯４４４４を送出する」を取得する（図７参照）。
【００４８】
ステップＳ２１１；固定電話へ発信
次いで、設定変更部１８は、無線装置１２を介して、固定電話装置２８にアクセスする。具体的には、無線装置１２を介して、固定電話装置２８に自動で電話をかける。
【００４９】
ステップＳ２１２；リモート開始
設定変更部１８は、固定電話装置２８と回線が接続されたことを検出すると、取得したリモート設定変更手順に従って、設定変更指示を送信する。具体的には、設定変更部１８は、設定変更指示として、＃４４４４を送出する。
【００５０】
ステップＳ２１３；留守番電話ＯＮ
設定変更指示を受信した固定電話装置２８は、サービス設定内容として、留守番電話ＯＮを設定する。これにより、固定電話装置２８に相手先装置９から呼び出しがあった場合に、固定電話装置２８では留守番電話機能が働くことになる。
【００５１】
ステップＳ２２０；リモート手順（圏内）読み込み
一方、ステップＳ１０２において、フェムトセルエリア４の圏外から圏内への移動であった場合には、設定変更部１８が、リモート手順記憶部２７にアクセスする。そして、変更後の接続先基地局に対応する、設定内容及びリモート設定変更手順を取得する。図７に示されるように、変更後の接続先基地局がフェムトセル用基地局である場合、対応する設定内容は「留守番電話ＯＦＦ」であり、対応するリモート設定変更手順は「固定電話に接続して、♯３３３３を送出する」である。従って、設定変更部１８は、「留守番電話ＯＦＦ」及び「固定電話に接続して、♯３３３３を送出する」を取得する。
【００５２】
ステップＳ２２１；固定電話へ発信
次いで、設定変更部１８は、無線装置１２を介して、固定電話装置２８にアクセスする。具体的には、無線装置１２を介して、固定電話装置２８に自動で電話をかける。
【００５３】
ステップＳ２２２；リモート開始
設定変更部１８は、固定電話装置２８と回線が接続されたことを検出すると、取得したリモート設定変更手順に従って、設定変更指示を送信する。具体的には、設定変更部１８は、設定変更指示として、＃３３３３を送出する。
【００５４】
ステップＳ２２３；留守番電話ＯＮ
設定変更指示を受信した固定電話装置２８は、サービス設定内容として、留守番電話ＯＦＦを設定する。これにより、固定電話装置２８に相手先装置９から呼び出しがあった場合には、留守番電話機能が働くことはない。
【００５５】
以上説明したように、本実施形態によれば、携帯電話端末１が、変更後の接続先基地局に応じて、固定電話装置２８に設定されたサービス設定内容を自動的に変更する。従って、ユーザは、移動するたびに固定電話装置２８に電話をかけ、サービス設定内容を変更する必要はない。すなわち、ユーザにとっての利便性を向上させることが可能である。
【００５６】
以上、第１及び第２の実施形態を用いて、本発明を説明した。尚、これらの実施形態は、矛盾のない範囲内で互いに組み合わせて用いることも可能である。
【符号の説明】
【００５７】
１  携帯電話端末
２−１  フェムトセル用基地局
２−２  無線基地局
３  屋内
４  フェムトセルエリア
５  セル
６  インターネット網
７  事業者装置
８  ネットワーク
９  相手先装置
１０  移動通信網
１１  データ処理装置
１２  無線装置
１３  入力装置
１４  出力装置
１５  記憶装置
１６  接続先識別部
１７  判定部
１８  設定変更部
１９  キーボード
２０  マイク
２１  表示部
２２  レシーバー
２３  無線部
２４  アンテナ
２５  メモリ
２６  設定記憶部
２７  リモート手順記憶部
２８  固定電話装置
２９  固定通信網
３０  通信システム
【図１】
2014045518.tif 000003
【図２】
2014045518.tif 000004
【図３】
2014045518.tif 000005
【図４】
2014045518.tif 000006
【図５】
2014045518.tif 000007
【図６】
2014045518.tif 000008
【図７】
2014045518.tif 000009
【図８】
2014045518.tif 000010